(57)【要約】【課題】　体の健康を保つために、傾斜に駆動される三輪運動カーを提供する。【解決手段】　前ロッド２０で前輪３２およびハンドル３４を支持し、引きロッド４０でユーザを支持し、その後端にそれぞれ後輪４５を設け、引きロッド４０が傾斜して前ロッド２０又は操縦ロッド３０に連結するので、引きロッド４０は連結フレーム７又は前ロッド２０に相対して、傾斜して回転可能であることを特徴とする体の健康を保つために傾斜に駆動される三輪運動カーである。【選択図】　　図１
0003099865.tif 000002
【実用新案登録請求の範囲】
【請求項１】
　体の健康を保つために傾斜に駆動される三輪運動カーにおいて、前ロッド（２０）で前輪（３２）およびハンドル（３４）を支持し、引きロッド（４０）でユーザを支持し、その後端にそれぞれ後輪（４５）を設け、
　引きロッド（４０）が傾斜して前ロッド（２０）又は操縦ロッド（３０）に連結するので、引きロッド（４０）は連結フレーム（７）又は前ロッド（２０）に相対して、傾斜して回転可能であることを特徴とする体の健康を保つために傾斜に駆動される三輪運動カー。
【請求項２】
　請求項１記載の体の健康を保つために傾斜に駆動される三輪運動カーにおいて、引きロッド（４０）の前端は、連結フレーム（７ｌ）を経由して、回転、折り畳み、収納が可能であるように、前ロッド（２０）に結合することを特徴とする体の健康を保つために傾斜に駆動される三輪運動カー。
【考案の詳細な説明】
【技術分野】
【０００１】
　本考案は、体の健康を保つために傾斜に駆動される三輪運動カーに関するものである。
【背景技術】
【０００２】
　従来から体の健康を保つために、既存の三輪運動カーは引きロッドを含んでいる。
　しかし、その先端は横ロッドを経由して垂直に前ロッド、操縦ロッドに連結している。そして引きロッドは前ロッド、操縦ロッドとも垂直にしか回転できなかった。
【考案の開示】
【考案が解決しようとする課題】
【０００３】
　したがって、本考案の主な目的は体の健康を保つために、傾斜に駆動される三輪運動カーを提供することにある。
【課題を解決するための手段】
【０００４】
　上記目的を解決するための本考案の体の健康を保つために傾斜に駆動される三輪運動カーは、前ロッドで前輪およびハンドルを支持し、引きロッドでユーザを支持し、その後端にそれぞれ後輪を設け、引きロッドが傾斜して前ロッド又は操縦ロッドに連結するので、引きロッドは連結フレーム又は前ロッドに相対して、傾斜して回転可能であることを特徴とする。
【考案を実施するための最良の形態】
【０００５】
　本考案の目的、特徴および効果などを以下にさらに具体的な実施例に図面をあわせて詳しく説明する。
　まずは図１〜図６を参照する。本考案の一実施例による体の健康を保つために傾斜に駆動される三輪運動カー１の前端２には、前ロッド２０がある。操縦ロッド３０は回転できるように、前ロッド２０に枢設され、接続されている。フロントフォーク３１は操縦ロッド３０の底部に設けられ、前輪３２を支持する。ハンドル３４は操縦ロッド３０の上部に設けられている。操縦ロッド３０は快速に着脱できる着脱ユニット３９を経由して、調整できる伸縮ロッド３３を設置する。ハンドル３４の両端に、それぞれブレーキロッド３５を設けて、それぞれ一本のブレーキワイヤ３６でブレーキ４７を連動させる。その前端２は延ばしロッド２１を含み、前ロッド２０から、上へ向かって延ばされる。弾性ロック２３は延ばしロッド２１に設置され、ピン２４が延ばしロッド２１を通過して前ロッド２０の底端２５まで延ばされる。
【０００６】
　連結フレーム７の底部７０は枢設軸７１を経由して、前ロッド２０の底端２５に枢設、接続される。その上方に、ロックプレート７２がある。ロックプレート７２の孔穴７３に伸縮ロッド２４を挿入する。そうすると、着脱できるように連結フレーム７の上端を前ロッド２０にセットできるので、連結フレーム７は前ロッド２０に相対して折り畳むことができる。連結フレーム７は二つの凹入７４を持ち、それぞれフレーム７５から形成される。各凹入７４又はフレーム７５の軸心７６は連結フレーム７の軸心７７又は前ロッド２０に相対して傾斜状になって、図９に示すように下へ傾斜するが、図１２に示すように上へ傾斜する。
【０００７】
　一対の引きロッド４０の前端は、直接に又はそれぞれ一本の横ロッド４１や枢設軸７８やベアリング４３（AND/OR）を経由して、連結フレーム７の凹入７４又はフレーム７５に枢設され、接続される。各引きロッド４０の後端に、それぞれ後輪４５やブレーキ４７（AND/OR）を設ける。引きロッド４０には、それぞれ踏みプレート４６を設けて、ユーザを支持する。ブレーキ４７はブレーキワイヤ３６を経由して、ブレーキロッド３５に作動される。各引きロッド４０には、それぞれ一つ又は一つ以上の突出耳４８を設けて、連結ひも、又はレバー５０で、引きロッド４０を連結する。レバー５０の末端５１に、枢設軸４９又はベアリング５３を経由して、引きロッド４０の突出耳４８に枢設し、接続するが、別の末端５１に快速の着脱ユニット５５を経由して、もう一つの引きロッド４０の突出耳４８に枢設し、接続する。
【０００８】
　操作のときに、ユーザは自分の体を傾斜させるか、又は三輪カーを傾斜させる。しかも前進の動力で三輪カーをS状、波浪状、曲げ状で前進させ、健康を増進させ、楽しみを得る。そのときに、横ロッド４１又は枢設軸７８と対応した連結フレーム７又は前ロッド２０の傾斜結構により、引きロッド４０が連結フレーム７又は前ロッド２０に相対して、傾斜して外に沿って弧を描くので、引きロッド４０と前ロッド２０又は操縦ロッド３０との相対的なストロークを変更させ、三輪カーの前進速度又は方向などを変更させ、運動と楽しみの効果を向上させる。また、弾性ロック２３のピン２４は着脱できるように、連結フレーム７の上端のロックプレート７２にセット又は分離されるので、図７〜図１１に示すように、引きロッド４０および連結フレーム７の結構は前ロッド２０又は操縦ロッド３０に相対して、折り畳まれる。
【０００９】
　図１３、図１４を参照する。枢設軸７８を直接に前ロッド２０取り付けても良い。そして、前ロッド２０の上へ向かって傾斜し、又は下へ向かって傾斜する。よって、引きロッド４０と前ロッド２０又は操縦ロッド３０との相対的な回転方向、移動ストロークを変更させ、三輪カーの前進速度又は方向などを変更させる。また、引きロッド４０の横ロッド４１はロックユニット４４で枢設軸７８に枢設し、接続させる。
【図面の簡単な説明】
【００１０】
【図１】本考案の第一実施例による体の健康を保つために傾斜に駆動される三輪運動カーを示す外観斜視図である。
【図２】本考案の第一実施例による体の健康を保つために傾斜に駆動される三輪運動カーの中心軸を示す分解斜視図である。
【図３】本考案の第一実施例による体の健康を保つために傾斜に駆動される三輪運動カーの中心軸を示す分解斜視図である。
【図４】本考案の第一実施例による体の健康を保つために傾斜に駆動される三輪運動カーを示す側面図である。
【図５】本考案の第一実施例による体の健康を保つために傾斜に駆動される三輪運動カーを示す上面図である。
【図６】本考案の第一実施例による体の健康を保つために傾斜に駆動される三輪運動カーを示す前面図である。
【図７】本考案の第一実施例による体の健康を保つために傾斜に駆動される三輪運動カーを示す局部側面拡大図である。
【図８】本考案の第一実施例による体の健康を保つために傾斜に駆動される三輪運動カーを示す局部側面拡大図である。
【図９】本考案の第一実施例による体の健康を保つために傾斜に駆動される三輪運動カーの連結フレームを示す前面図である。
【図１０】本考案の第一実施例による体の健康を保つために傾斜に駆動される三輪運動カーの連結フレームを示す局部側面拡大図である。
【図１１】本考案の第一実施例による体の健康を保つために傾斜に駆動される三輪運動カーの連結フレームを示す局部側面拡大図である。
【図１２】本考案の第一実施例による体の健康を保つために傾斜に駆動される三輪運動カーの連結フレームを示す前面図である。
【図１３】本考案の第二実施例による体の健康を保つために傾斜に駆動される三輪運動カーを示す外観斜視図である。
【図１４】本考案の第二実施例による体の健康を保つために傾斜に駆動される三輪運動カーを示す分解斜視図である。
【符号の説明】
【００１１】
　１　体の健康を保つ三輪運動カー、２　前端、２０　前ロッド、３０　操縦ロッド、３１　フロントフォーク、３２　前輪、３４　ハンドル、３９、５５　快速の着脱ユニット、３５　ブレーキロッド、３６　ブレーキワイヤ、４７　ブレーキ、２３　弾性ロック、２１　延ばしロッド、２４　ピン、２５　底端、７　連結フレーム、７０　底部、７１、７８　枢設軸、７２　ロックプレート、７３　孔穴、２４　伸縮ロッド、７４　凹入、７５　フレーム、７６、７７　軸心、４０　引きロッド、４１　横ロッド、４３　ベアリング、４５　後輪、４６　踏みプレート、４８　突出耳、５０　レバー、５１　末端
【図１】
0003099865.tif 000003
【図２】
0003099865.tif 000004
【図３】
0003099865.tif 000005
【図４】
0003099865.tif 000006
【図５】
0003099865.tif 000007
【図６】
0003099865.tif 000008
【図７】
0003099865.tif 000009
【図８】
0003099865.tif 000010
【図９】
0003099865.tif 000011
【図１０】
0003099865.tif 000012
【図１１】
0003099865.tif 000013
【図１２】
0003099865.tif 000014
【図１３】
0003099865.tif 000015
【図１４】
0003099865.tif 000016